(57)【特許請求の範囲】
【請求項１】
記憶された映像データが二次元映像であるか三次元映像であるかを示す情報を含む映像特性パラメータを生成する映像特性パラメータ生成部と、
生成された映像特性パラメータと、前記記憶された映像データとを符号化するエンコーディング部と、
符号化された映像特性パラメータを含むヘッダと、符号化された映像データを含むペイロードとから構成される伝送ストリームを送信する送信部と、
を備え、
前記映像特性パラメータは、前記記憶された映像データが三次元映像である場合に、左眼映像と右眼映像とからどのように三次元映像が生成されたかを識別する情報を更に含む、
ことを特徴とする映像送信装置。
【請求項２】
前記映像特性パラメータ生成部を制御する命令をユーザから受信し、前記映像特性パラメータを受信する入出力インターフェースを提供するユーザインターフェース部を更に備える、
ことを特徴とする請求項１記載の映像送信装置。
【請求項３】
前記映像特性パラメータは、前記記憶された映像データが三次元映像である場合に、前記三次元映像の撮像視点数を示す情報を更に含む、
ことを特徴とする請求項１記載の映像送信装置。
【請求項４】
前記識別する情報は、ライン−バイ−ラインフォーマット、ピクセル−バイ−ピクセルフォーマット、トップダウンフォーマット及びサイド−バイ−サイドフォーマットのうち、いずれか１つを含む、
ことを特徴とする請求項１記載の映像送信装置。
【請求項５】
前記映像データは、デジタル放送システムに適用されるデータである、
ことを特徴とする請求項１記載の映像送信装置。
【請求項６】
映像データが二次元映像であるか三次元映像であるかを示す情報を含む映像特性パラメータを含むヘッダと、前記映像データを含むペイロードとから構成される伝送ストリームを受信する受信部と、
受信された伝送ストリームに含まれる映像データと映像特性パラメータとを復号化するデコーディング部と、
復号化された映像特性パラメータを検出する映像特性パラメータ検出部と、
検出された映像特性パラメータに基づいて、復号化された映像データを表示するディスプレイ部と、
を備え、
前記映像特性パラメータは、前記映像データが三次元映像である場合に、左眼映像と右眼映像とからどのように三次元映像が生成されたかを識別する情報を更に含む、
ことを特徴とする映像受信装置。
【請求項７】
前記映像特性パラメータは、前記映像データが三次元映像である場合に、前記三次元映像の撮像視点数を示す情報を更に含む、
ことを特徴とする請求項６記載の映像受信装置。
【請求項８】
前記識別する情報は、ライン−バイ−ラインフォーマット、ピクセル−バイ−ピクセルフォーマット、トップダウンフォーマット及びサイド−バイ−サイドフォーマットのうち、いずれか一つを含む、
ことを特徴とする請求項６記載の映像受信装置。
【請求項９】
前記映像データは、デジタル放送システムに適用されるデータである、
ことを特徴とする請求項６記載の映像受信装置。
【請求項１０】
記憶された映像データが二次元映像であるか三次元映像であるかを示す情報を含む映像特性パラメータを生成するステップと、
生成された映像特性パラメータと、前記記憶された映像データとを符号化するステップと、
符号化された映像特性パラメータを含むヘッダと、符号化された映像データを含むペイロードとから構成される伝送ストリームを送信するステップと、
を含み、
前記映像特性パラメータは、前記映像データが三次元映像である場合に、左眼映像と右眼映像とからどのように三次元映像が生成されたかを識別する情報を更に含む、
ことを特徴とする映像送信方法。
【請求項１１】
前記映像特性パラメータは、前記映像データが三次元映像である場合に、前記三次元映像の撮像視点数を示す情報を更に含む、
ことを特徴とする請求項１０記載の映像送信方法。
【請求項１２】
前記識別する情報は、ライン−バイ−ラインフォーマット、ピクセル−バイ−ピクセルフォーマット、トップダウンフォーマット及びサイド−バイ−サイドフォーマットのうち、いずれか一つを含む、
ことを特徴とする請求項１０記載の映像送信方法。
【請求項１３】
前記映像データは、デジタル放送システムに適用されるデータである、
ことを特徴とする請求項１０記載の映像送信方法。
【請求項１４】
映像データが二次元映像であるか三次元映像であるかを示す情報を含む映像特性パラメータを含むヘッダと、前記映像データを含むペイロードとから構成される伝送ストリームを受信するステップと、
受信された伝送ストリームに含まれる映像データと映像特性パラメータとを復号化するステップと、
復号化された映像特性パラメータを検出するステップと、
検出された映像特性パラメータに基づいて、復号化された映像データを表示するステップと、
を含み、
前記映像特性パラメータは、前記映像データが三次元映像である場合に、左眼映像と右眼映像とからどのように三次元映像が生成されたかを識別する情報を更に含む、
ことを特徴とする映像受信方法。
【請求項１５】
前記映像特性パラメータは、前記映像データが三次元映像である場合に、前記三次元映像の撮像視点数を示す情報を更に含む、
ことを特徴とする請求項１４記載の映像受信方法。
【請求項１６】
前記識別する情報は、ライン−バイ−ラインフォーマット、ピクセル−バイ−ピクセルフォーマット、トップダウンフォーマット及びサイド−バイ−サイドフォーマットのうち、いずれか一つを含む、
ことを特徴とする請求項１４記載の映像受信方法。
【請求項１７】
前記映像データは、デジタル放送システムに適用されるデータである、
ことを特徴とする請求項１４記載の映像受信方法。
【請求項１８】
コンピュータに、
記憶された映像データが二次元映像であるか三次元映像であるかを示す情報を含む映像特性パラメータを生成するステップと、
生成された映像特性パラメータと、前記記憶された映像データとを符号化するステップと、
符号化された映像特性パラメータを含むヘッダと、符号化された映像データを含むペイロードとから構成される伝送ストリームを送信するステップと、
を含み、
前記映像特性パラメータは、前記映像データが三次元映像である場合に、左眼映像と右眼映像とからどのように三次元映像が生成されたかを識別する情報を更に含む、
映像送信方法を実行させるためのプログラムを記録したコンピュータで読み取り可能な記録媒体。
【請求項１９】
コンピュータに、
映像データが二次元映像であるか三次元映像であるかを示す情報を含む映像特性パラメータを含むヘッダと、前記映像データを含むペイロードとから構成される伝送ストリームを受信するステップと、
受信された伝送ストリームに含まれる映像データと映像特性パラメータとを復号化するステップと、
復号化された映像特性パラメータを検出するステップと、
検出された映像特性パラメータに基づいて、復号化された映像データを表示するステップと、
を含み、
前記映像特性パラメータは、前記映像データが三次元映像である場合に、左眼映像と右眼映像とからどのように三次元映像が生成されたかを識別する情報を更に含む、
映像受信方法を実行させるためのプログラムを記録したコンピュータで読み取り可能な記録媒体。
【発明の詳細な説明】
【技術分野】
【０００１】
本発明は、映像送信及び受信方法と装置、及びその伝送ストリーム構造に係り、さらに詳細には、二次元（２Ｄ）／三次元（３Ｄ）映像についての特性を表す映像特性パラメータをヘッダの所定位置に含む伝送ストリーム構造と、該伝送ストリームを送信する映像送信装置及び方法と、該映像送信装置から送信された伝送ストリームを受信してディスプレイする映像受信装置及び方法とに関する。
【背景技術】
【０００２】
最近、デジタル放送（ＤＴＶ）を介して三次元立体映像を放送しようとする研究が進められている。ＤＴＶは、ビデオ、オーディオ及びその他データのようなアナログ信号をデジタル信号に変換して圧縮して伝送した後、これを受信し、さらにもとのビデオ、オーディオ及びその他データ信号に変換して再生する放送であり、従来のアナログ放送と比べて高画質のサービスを提供する。
【０００３】
また、前記のようなＤＴＶ技術を利用し、三次元映像を受信してディスプレイすることについての研究も進められている。三次元映像を具現する一般的な方法には、視聴者の両眼視差を利用するものである。両眼視差を利用した三次元映像具現方法には、偏光めがね、ＬＣシャッタめがねのような三次元映像を表示するためのめがねを着用する方法と、レンチキュラレンズ、視差バリア、視差イルミネーションなどの備わった装置を利用し、肉眼で観測する方法とがある。前者をステレオスコピー（ｓｔｅｒｅｏｓｃｏｐｙ）法といい、後者をオートステレオスコピー（ａｕｔｏｓｔｅｒｅｏｓｃｏｐｙ）法という。
【０００４】
前記ステレオスコピー法は、偏光プロジェクタを利用し、主に映画館のようなさまざまな人が視聴するところで応用されている。そして、前記オートステレオスコピー法は、個人や少数の人々が使用するゲーム用ディスプレイ、家庭用ＴＶ、展示用ディスプレイなどに応用されている。
【０００５】
現在の研究は、概してオートステレオスコピー法を利用して三次元映像を具現するところに集中しており、これと関連したさまざまな製品が販売されている。現在紹介されているほとんどの立体映像用ディスプレイ装置は、三次元映像だけを具現できるようになっており、価格も、二次元ディスプレイ装置より高価である。
【０００６】
ところで、三次元映像用コンテンツが活発に供給されていないために、高価な三次元映像専用のディスプレイ装置では、消費者の購買欲求を満足させられない。
【０００７】
これにより、最近二次元と三次元の映像を選択的に具現できる２Ｄ／３Ｄ兼用ディスプレイ装置を製作する方法に多くの研究がなされつつ、多様な製品が紹介されている。
【０００８】
人間の肉眼で見る実際映像と類似した三次元立体映像を放送するためには、多視点（マルチビュー）三次元映像を作って伝送し、そしてこれを受信して三次元ディスプレイ装置で再生せねばならない。しかし、多視点三次元立体映像は、データ量が非常に多いために、現在のＤＴＶシステムで使われるチャンネルの帯域幅では受入れ難い。従って、ステレオ映像の送信と受信とについての研究がまず進められている。
【０００９】
動映像圧縮標準化団体であるＭＰＥＧで進行中である立体映像と関連した部分について述べれば、１９９６年にＭＰＥＧ−２多視点プロファイルが制定され、現在は、ステレオ映像及び多視点映像の圧縮についての標準が完成段階にある。これにより、立体映像を研究する関連団体でも、デジタルテレビ放送を介した三次元立体映像の伝送及び受信についての研究が活発に進められているが、現在は、ＨＤ（高精細度）クラスステレオ映像の伝送及び受信を目標としている。
【００１０】
一方、ＤＴＶシステム、シミュレーションまたは医学的な分析システムなど、ほとんどの分野で三次元映像と共に選択的に二次元映像が具現される必要がある。しかし、現在、二次元映像と三次元映像とを選択的に具現するための伝送ストリーム構造と、該伝送ストリームの送信装置及び方法と、該伝送ストリームを受信してディスプレイする受信装置及び方法とについては、現在、規格として決まっておらず、これについての研究が進められねばならない状況である。
【特許文献１】日本特開２００１−５４１４１号公報
【特許文献２】日本特開平１１−３５３４９５号公報
【特許文献３】日本特開平７−２７４２１６号公報
【特許文献４】日本特開２００３−３３３６２４号公報
【発明の開示】
【発明が解決しようとする課題】
【００１１】
従って、本発明が解決しようとする技術的課題は、ＤＴＶシステムなどで二次元／三次元映像についての映像特性パラメータをヘッダの所定位置に含む伝送ストリーム構造と、該伝送ストリームを送信する映像送信装置及び方法と、該送信された伝送ストリームを受信してディスプレイする映像受信装置及び方法とを提供することである。
【課題を解決するための手段】
【００１２】
前記技術的課題を解決するための本発明の伝送ストリーム構造は、ＤＴＶシステムでの伝送ストリーム構造において、前記ＤＴＶシステムでの映像データが二次元映像であるか三次元映像であるかについての情報を表す映像特性パラメータを含むヘッダと、前記映像データを含むペイロードとを含むことを特徴に有する。
【００１３】
前記技術的課題を解決するための本発明の映像送信装置は、映像データを保存している保存部と、前記保存された映像データが二次元映像であるか三次元映像であるかについての情報を表す映像特性パラメータを生成する映像特性パラメータ生成部と、前記保存された映像データと前記生成された映像特性パラメータとを入力されて伝送ストリームに含まれるようにエンコーディングするエンコーディング部とを備えることを特徴に有する。
【００１４】
前記技術的課題を解決するための本発明の映像受信装置は、映像データと、前記映像データが二次元映像であるか三次元映像であるかについての情報を表す映像特性パラメータとを含む映像信号を入力されてデコーディングするデコーディング部と、前記デコーディングされた映像信号を入力され、前記映像特性パラメータを検出する映像特性パラメータ検出部と、前記映像特性パラメータ検出部から入力された映像特性パラメータにより、前記デコーディング部から入力される映像データをディスプレイするディスプレイ部とを備えることを特徴に有する。
【００１５】
また、前記技術的課題を解決するための本発明の映像送信方法は、（ａ）映像データを入力されるステップと、（ｂ）前記映像データが二次元映像であるか三次元映像であるかについての情報を表す映像特性パラメータを入力されるステップと、（ｃ）前記映像データと前記映像特性パラメータとが伝送ストリームに含まれるようにエンコーディングするステップとを含むことを特徴に有する。
【００１６】
また、前記技術的課題を解決するための本発明の映像受信方法は、（ａ）映像データと、前記映像データが二次元映像であるか三次元映像であるかについての情報を表す映像特性パラメータとを含む映像信号を入力されてデコーディングするステップと、（ｂ）前記デコーディングされた映像信号を入力され、前記映像特性パラメータを検出するステップと、（ｃ）前記（ｂ）ステップで検出された映像特性パラメータを入力されるステップと、（ｄ）前記（ｃ）ステップで入力された映像特性パラメータにより、前記（ａ）ステップでデコーディングされた映像データをディスプレイするステップとを含むことを特徴に有する。
【００１７】
そして、本発明による映像送信方法に記載された発明をコンピュータで実行させるためのプログラムを記録したコンピュータで読み取り可能な記録媒体を含むことを特徴に有する。
【００１８】
また、本発明による映像受信方法に記載された発明をコンピュータで実行させるためのプログラムを記録したコンピュータで読み取り可能な記録媒体を含むことを特徴に有する。
【発明の効果】
【００１９】
本発明によれば、さらに進歩した映像情報の重要性が要求される多くの分野、例えば、医学、工学及びシミュレーションが使われる分野、並びに今後ＤＴＶ標準システムを利用して登場する立体映像（三次元映像）放送のような分野で、二次元映像と三次元映像とをディスプレイできる映像送信及び受信の方法と装置、及びその伝送ストリーム構造を提供できる。
【発明を実施するための最良の形態】
【００２０】
以下、添付された図面を参照しつつ、本発明の望ましい一実施形態について詳細に説明する。
【００２１】
図１は、本発明の一実施形態による伝送ストリーム構造である。図１について述べれば、伝送ストリームは、ヘッダ１００とペイロード１２０とから構成される。
【００２２】
伝送ストリームのヘッダ１００には、ペイロード１２０に含まれている映像をディスプレイできる多様な制御情報が含まれている。かような伝送ストリームヘッダ１００の所定位置には、ペイロード１２０に含まれている映像データの特性を表す映像特性パラメータ１０２が含まれている。
【００２３】
映像特性パラメータ１０２は、ペイロード１２０に保存されている映像データが二次元（２Ｄ）映像（例えば、一般ＴＶ信号、ＶＣＲ信号）であるか、三次元（３Ｄ）映像であるかについての２Ｄ／３Ｄ区分情報１０２ａを含んでいる。
【００２４】
そして、ペイロード１２０に保存されている映像が三次元映像である場合に、映像特性パラメータは、三次元映像の撮像視点数情報１０２ｂをさらに含むことができる。ここで、三次元映像の撮像視点数とは、１つの対象物体をカメラで撮像して製作する過程で、何点の相異なる角度で撮像されているかということと関連した情報である。かような三次元映像の撮像視点数については、図２でさらに詳細に説明する。
【００２５】
また、ペイロード１２０に保存されている映像が三次元映像である場合に、映像特性パラメータは、三次元映像のディスプレイフォーマット情報１０２ｃをさらに含むことができる。ここで、ディスプレイフォーマットとは、三次元映像を合成する過程で、１つの場面についていかなる形態でフォーマットを行ったかについての情報である。さらに具体的に、三次元映像のディスプレイフォーマットとしては、ライン−バイ−ラインフォーマット、ピクセル−バイ−ピクセルフォーマット、トップダウンフォーマット及びサイド−バイ−サイドフォーマットなどがある。かような三次元映像のディスプレイフォーマット情報については、図３でさらに詳細に説明する。
【００２６】
図２Ａと図２Ｂは、図１での三次元映像の撮像視点数についての一例を図示した図である。
【００２７】
図２Ａについて述べれば、１つの対象物体２００を相異なる位置にある２台のカメラ２２１，２２２でもって撮像したものである。すなわち、三次元映像の撮像視点数は、２視点である。ここで、対象物体は、静止している物体でもあり、動いている物体でもありうる。２台のカメラ２２１，２２２は、１つの対象物体２００に対し、それぞれ左眼映像と牛眼映像とを別々に撮像する。
【００２８】
図２Ｂについて述べれば、１つの対象物体２００を相異なる位置にある４台のカメラ２２１，２２２，２２３，２２４でもって撮像したものである。すなわち、三次元映像の撮像視点数は、４視点である。
【００２９】
図２Ａと図２Ｂとで、対象物体は静止している物体でもあり、動いている物体でもありうる。
【００３０】
図２Ａと図２Ｂとでは、三次元映像の撮像視点数と関連し、２視点と４視点とについて述べたが、１つの対象物体２００に対してさらに多様な撮像視点数を有するように撮像できる。
【００３１】
図３Ａないし図３Ｄは、図１での三次元映像のディスプレイフォーマット方式の一例を図示した図である。図３Ａないし図３Ｄについて述べれば、図３Ａは、ライン−バイ−ラインフォーマットについての映像を表し、図３Ｂは、ピクセル−バイ−ピクセルフォーマットについての映像を表し、図３Ｃは、トップダウンフォーマット映像を表し、図３Ｄは、サイド−バイ−サイドフォーマットについての映像を表す。
【００３２】
さらに具体的に、以下では、ステレオ映像（左眼映像、右眼映像）についてのディスプレイフォーマット方式を説明する。そして、左眼映像と右眼映像は、それぞれ（ＮｘＭ）サイズを有することとする。
【００３３】
図３Ａのライン−バイ−ラインフォーマットの映像は、左眼映像と右眼映像とをそれぞれ垂直方向に１／２サブサンプリングし、左眼映像の画素と右眼映像の画素とをラインごとに交互に位置させて三次元映像を作る。図３Ｂのピクセル−バイ−ピクセルフォーマットの映像は、左眼映像と右眼映像とをそれぞれ水平方向に１／２サブサンプリングし、左眼映像の画素と右眼映像の画素とを１画素ずつ交互に位置させて三次元映像を作る。図３Ｃのトップダウンフォーマットの映像は、左眼映像と右眼映像とをそれぞれ垂直方向に１／２サブサンプリングし、サンプリングした左眼映像を上部に、サンプリングした右眼映像を下部に位置させて１つの三次元映像を作る。すなわち、（ＮｘＭ）サイズの左眼映像と右眼映像とをそれぞれ（ＮｘＭ／２）サイズにサブサンプリングした後でこれを上下に位置させることにより、１つの（ＮｘＭ）サイズの三次元映像を作る。図３Ｄは、サイド−バイ−サイドフォーマットの映像であり、左眼映像と右眼映像とをそれぞれ水平方向に１／２サブサンプリングし、サンプリングした左眼映像を左側に、サンプリングした右眼映像を右側に位置させて１つの三次元映像を作る。すなわち、（ＮｘＭ）サイズの左眼映像と右眼映像とをそれぞれ（Ｎ／２ｘＭ）サイズにサブサンプリングした後でこれを左右側に位置させることにより、１つの（ＮｘＭ）サイズの三次元映像を作る。
【００３４】
前述のように、三次元映像合成フォーマットにはさまざまあるが、このうち、図３Ｃに図示したようなトップダウンフォーマットと、図３Ｄに図示したようなサイド−バイ−サイドフォーマットとが、ＭＰＥＧなどで圧縮して伝送時に効率的なために、多用されうる。
【００３５】
図４は、本発明の望ましい一実施形態による映像送信装置のブロック図である。図４について述べれば、映像送信装置は、保存部４００、映像特性パラメータ生成部４１０、ユーザインターフェース部４２０、エンコーディング部４３０及び送信部４４０を備えてなる。
【００３６】
保存部４００は、対象物体を撮像して得られた映像データを保存している。保存部４００に保存されている映像データは、１つの対象物体を１台のカメラで撮像して得られる映像でもあり、または１つの対象物体を複数台のカメラで撮像して得られる映像でもありうる。
【００３７】
すなわち、保存部４００に保存されている映像データは、二次元映像でもあり、複数台のカメラで撮った左眼映像と右眼映像とがサブサンプリングされて合成され、図３Ａないし図３Ｄを参照して説明したようなディスプレイフォーマットのうち、いずれか１つのフォーマットの三次元映像であることもある。
【００３８】
映像特性パラメータ生成部４１０は、保存部４００に保存されている映像データの特性を表す映像特性パラメータを生成する役割を果たす。ここで、映像特性パラメータは、二次元映像であるか三次元映像であるかを示す情報を含む。さらに、三次元映像である場合に、撮像視点数情報またはディスプレイフォーマット情報を含むことができる。
【００３９】
ユーザインターフェース部４２０は、映像特性パラメータ生成部４１０を制御する命令をユーザから受信し、前記映像特性パラメータについて受信する入出力インターフェースを提供する。ユーザは、保存部４００に保存されている映像データの特性を表す映像特性パラメータをユーザインターフェース部４２０を介して設定することによって生成可能である。
【００４０】
本発明の一実施形態では、かようにユーザインターフェース部４２０を設けて映像特性パラメータを生成するとしているが、これと係っては、映像を撮像する過程で直ちに映像特性パラメータを生成する方法など、多様な実施形態が可能である。
【００４１】
エンコーディング部４３０は、保存部４００から対象物体を撮像して得られた映像データと、映像特性パラメータ生成部４１０から生成された映像特性パラメータとを入力される。そして、エンコーディング部４３０は、保存部４００から入力された映像データと、映像特性パラメータ生成部４１０から入力された映像特性パラメータとを符号化し、伝送ストリーム形態で示すように変換する。ここで、エンコーディング部４３０は、保存部４００から入力された映像は、伝送ストリームのペイロードに含め、映像特性パラメータは、伝送ストリームのヘッダの所定位置に含める。また、エンコーディング部４３０は、ＭＰＥＧまたはその他さまざまな方法で符号化を行う。
【００４２】
送信部４４０は、エンコーディングされた伝送ストリームをＤＴＶ規格や、その他のさまざまな伝送規格によって送信する。
【００４３】
図５は、本発明の望ましい一実施形態による映像受信装置のブロック図である。図５について述べれば、映像受信装置は、受信部５００、デコーディング部５１０、映像特性パラメータ検出部５２０及びディスプレイ部５３０を備えてなる。
【００４４】
受信部５００は、映像送信装置から伝送された映像信号を受信する。ここで、受信部５００を介して受信される映像信号は、伝送ストリーム形態の映像信号である。
【００４５】
デコーディング部５１０は、映像送信装置で符号化した規格に対応する復号化を行う。例えば、ＭＰＥＧ−２規格によって符号化されているならば、それによって復号化を行う。さらに具体的に、デコーディング部５１０は、映像信号の時空間的な相関性を考慮し、エンコーディングされた映像信号を可変長デコーディング、逆離散コサイン変換（Ｉｎｖｅｒｓｅ ＤＣＴ）、逆量子化及びモーション補償のような復号化技法を利用し、符号化以前のもとの映像と映像特性パラメータとに復元する。
【００４６】
映像特性パラメータ検出部５２０は、デコーディングされた伝送ストリームのヘッダ所定位置に含まれた情報のうちから映像特性パラメータを検出する。ここで、映像特性パラメータは、ペイロードに含まれている映像が二次元映像であるか三次元映像であるかということを示す情報を含む。さらに、三次元映像である場合に、撮像視点数情報またはディスプレイフォーマット情報をさらに含むことができる。
【００４７】
ディスプレイ部５３０は、映像特性パラメータ検出部５２０から伝送された映像特性パラメータと、デコーディング部５１０からデコーディングされた映像データとを入力される。そして、ディスプレイ部５３０は、映像特性パラメータによってデコーディングされた映像データを画面上にディスプレイする。
【００４８】
さらに具体的に、映像特性パラメータが、二次元映像であると示された場合、ディスプレイ部５３０は、デコーディング部５１０から入力されるデコーディングされた映像データを二次元に画面上にディスプレイする。そして、映像特性パラメータが三次元映像であると示された場合、ディスプレイ部５３０は、デコーディング部５１０から入力されるデコーディングされた映像データを三次元に画面上にディスプレイする。さらに、ディスプレイ部５３０は、映像特性パラメータが三次元映像であり、撮像視点数情報またはディスプレイフォーマット情報をさらに含むと示された場合、前記撮像視点数情報またはディスプレイフォーマット情報に該当するように、前記デコーディングされた映像データを所定方式に変換してディスプレイする。
【００４９】
ここで、ディスプレイ部５３０は、２Ｄ／３Ｄ兼用ディスプレイ装置で構成される。２Ｄ／３Ｄ兼用ディスプレイ装置を具現する方法は、多様でありえる。さらに具体的な方法としては、本発明のディスプレイ部５３０は、大韓民国特許公開第１０−０４４０９５６号公報（発明の名称：２Ｄ／３Ｄ兼用ディスプレイ）に記述されているように、イメージ形成パネルディスプレイと、レンズ部と、前記レンズ部に対して選択的に電源を供給させることができる電源供給部とを備えて具現できる。そして、ＴＦＴ−ＬＣＤの後側に液晶シャッタを具備し、これを利用して二次元映像と三次元映像とを選択的に表示する２Ｄ／３Ｄ兼用ディスプレイ装置がある。しかし、前記で挙げた例は、１つの一例として挙げたものであり、本発明のディスプレイ部５３０は、それらに限定されずに多様な方法で具現されうる。
【００５０】
図６は、本発明の望ましい一実施形態による映像送信方法のフローチャートである。図６について述べれば、まず、対象物体を撮像して得られた映像データを入力される（Ｓ６００）。ここで、映像データは、１つの対象物体を１台のカメラで撮像して得られる映像データ、または１つの対象物体を複数台のカメラで撮像して得られる映像データでありうる。
【００５１】
次に、前記映像データの特性を表すように生成された映像特性パラメータを入力される（Ｓ６１０）。ここで、映像特性パラメータは、ステップＳ６００で入力された映像データが二次元映像であるか三次元映像であるかについての情報を含む。さらに、三次元映像である場合に、撮像視点数情報またはディスプレイフォーマット情報をさらに含むことができる。
【００５２】
次に、ステップＳ６００で入力された映像データと、ステップＳ６１０で入力された映像特性パラメータとを符号化し、伝送ストリーム形態に変換する（Ｓ６２０）。ここで、映像データは、伝送ストリームのペイロードに含め、映像特性パラメータは、伝送ストリームのヘッダ所定位置に含める。ステップＳ６２０での符号化は、ＭＰＥＧまたはその他さまざまな方法で符号化を行う。
【００５３】
次に、ステップＳ６２０でエンコーディングされた伝送ストリームをＤＴＶ規格や、その他のさまざま伝送規格によって送信する（Ｓ６３０）。
【００５４】
図６で未説明の部分は、図４を参照する。
【００５５】
図７は、本発明の望ましい一実施形態による映像受信方法のフローチャートである。図７について述べれば、まず、アンテナを介して映像データと、前記映像データについての映像特性パラメータとを含む映像信号を受信する（Ｓ７００）。ここで、受信される映像信号は、伝送ストリーム形態の映像信号である。
【００５６】
次に、ステップＳ７００で受信された映像信号をデコーディングする（Ｓ７１０）。
【００５７】
次に、ステップＳ７１０でデコーディングされた映像信号を入力され、前記映像データについての映像特性パラメータを検出する（Ｓ７２０）。ここで、映像特性パラメータは、ペイロードにある映像データが二次元映像であるか三次元映像であるかを示す情報を含む。さらに、三次元映像である場合、撮像視点数情報またはディスプレイフォーマット情報をさらに含むことができる。
【００５８】
次に、ステップＳ７２０で検出された映像特性パラメータをディスプレイ装置に出力する（Ｓ７３０）。
【００５９】
次に、ステップＳ７３０で伝送された映像特性パラメータにより、ステップＳ７１０でデコーディングされた映像データを画面上にディスプレイする（Ｓ７４０）。
【００６０】
図７で未説明の部分は、図５を参照する。
【００６１】
本発明は、また、コンピュータで読み取り可能な記録媒体にコンピュータで読み取り可能なコードでもって具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク及び光データ保存装置などがあり、またキャリアウェーブ（例えば、インターネットを介した伝送）の形態で具現されるものも含む。また、コンピュータで読み取り可能な記録媒体は、ネットワークに連結されたコンピュータシステムに分散され、分散方式でコンピュータで読み取り可能なコードでもって保存されて実行さるうる。
【００６２】
以上のように、図面と明細書とで最適の実施形態が開示された。ここで、特定の用語が使われたが、それらは、単に本発明を説明するための目的で使われたものであり、意味限定や特許請求範囲に記載された本発明の範囲を制限するために使われたものではない。従って、本技術分野の当業者ならば、それらから多様な変形及び均等な他の実施形態が可能であるという点を理解できるであろう。従って、本発明の真の技術的な保護範囲は、特許請求の範囲の技術的思想によってのみ決まるのである。
【産業上の利用可能性】
【００６３】
本発明の映像送信及び受信方法と装置、及びその伝送ストリーム構造は、例えば、ＤＴＶ関連の技術分野に効果的に適用可能である。
【図面の簡単な説明】
【００６４】
【図１】本発明の一実施形態による伝送ストリーム構造である。
【図２Ａ】図１での三次元映像の撮像視点数についての一例を図示した図である。
【図２Ｂ】図１での三次元映像の撮像視点数についての一例を図示した図である。
【図３Ａ】図１での三次元映像のディスプレイフォーマット方式の一例を図示した図である。
【図３Ｂ】図１での三次元映像のディスプレイフォーマット方式の一例を図示した図である。
【図３Ｃ】図１での三次元映像のディスプレイフォーマット方式の一例を図示した図である。
【図３Ｄ】図１での三次元映像のディスプレイフォーマット方式の一例を図示した図である。
【図４】本発明の望ましい一実施形態による映像送信装置のブロック図である。
【図５】本発明の望ましい一実施形態による映像受信装置のブロック図である。
【図６】本発明の望ましい一実施形態による映像送信方法のフローチャートである。
【図７】本発明の望ましい一実施形態による映像受信方法のフローチャートである。
【符号の説明】
【００６５】
１００    ヘッダ
１０２    映像特性パラメータ
１０２ａ  ２Ｄ／３Ｄ区分情報
１０２ｂ  映像視点数情報
１０２ｃ  ディスプレイフォーマット情報
１２０    ペイロード
２００    対象物体
２２１，２２２，２２３，２２４  カメラ
４００    保存部
４１０    映像特性パラメータ生成部
４２０    ユーザインターフェース部
４３０    エンコーディング部
４４０    送信部
５００    受信部
５１０    デコーディング部
５２０    映像特性パラメータ検出部
５３０    ディスプレイ部
【図１】
0005328082.tif 000002
【図２Ａ】
0005328082.tif 000003
【図２Ｂ】
0005328082.tif 000004
【図３Ａ】
0005328082.tif 000005
【図３Ｂ】
0005328082.tif 000006
【図３Ｃ】
0005328082.tif 000007
【図３Ｄ】
0005328082.tif 000008
【図４】
0005328082.tif 000009
【図５】
0005328082.tif 000010
【図６】
0005328082.tif 000011
【図７】
0005328082.tif 000012